(57)【要約】【課題】ゴルフの技能向上を図るのに有効なゴルフ練習システムを提供する。【解決手段】ゴルフ練習システムにおいて、人がゴルフクラブを持って素振りをするのに十分な広さを持つ空間を用意し、上記空間内あるいはその壁面などに一枚以上の鏡と一台以上の表示装置を設置し、素振りをする人が上記鏡に映る自分自身の姿と上記表示装置に表示されるゴルフスイング映像とを見ることができるようにする。上記表示装置には通常映像の左右反転像を表示することができるようにし、上記鏡および上記表示装置には格子状の直線を表示する。また、上記表示装置はネットワークに接続して、上記ネットワークを介して上記表示装置に映像を表示する。【選択図】          図３
2004358023.tif 000002
【特許請求の範囲】
【請求項１】
人がゴルフクラブを持って素振りをするのに十分な広さを有する空間と、上記空間内あるいはその壁面や仕切り等に設置された一枚以上の鏡と、上記空間内あるいはその壁面や仕切り等に設置された一台以上の表示装置を有し、上記表示装置には静止画像あるいは動画映像を表示し、素振りをする人が上記表示装置に表示された上記静止画像あるいは上記動画映像および上記鏡に映った自分自身の像の両者を見ることができるように、上記表示装置および上記鏡が配置されていることを特徴とするゴルフ練習システム。
【請求項２】
請求項１において、
上記表示装置が、通常表示の画像あるいは映像の左右反転像を表示することができ、上記通常表示の画像あるいは映像を表示するか、上記通常表示の画像あるいは映像の左右反転像を表示するかを選択できるようにしたものであることを特徴とするゴルフ練習システム。
【請求項３】
請求項１および請求項２において、
上記の鏡には複数の直線が格子状に引かれているか、あるいは印や境界線等が格子状に配置されており、上記の表示装置にも複数の直線が格子状に表示されていることを特徴とするゴルフ練習システム。
【請求項４】
請求項１および請求項２および請求項３において、
上記表示装置はネットワークに接続されており、実時間映像あるいは記録された映像または画像を上記ネットワークを介して上記表示装置に表示することを特徴とするゴルフ練習システム。
【発明の詳細な説明】
【０００１】
【発明の属する技術分野】
この発明は、ゴルフ練習システムに関し、ゴルフの技能向上に有効な技術に関するものである。
【０００２】
【従来の技術】
ゴルフ練習の最も一般的な形態は一列に配置された複数の打席からボールを打ち出す練習場である。ボールが飛んで行く先にはネットが張られており、打席からネットまでの距離として設定するのは短くても数十ヤード、長いときには２００ヤードを超えるから、かなりの広い空間を必要とする。デパートの屋上やスポーツジム等に設置される形態のゴルフ練習場は比較的近い距離に設けたネットにボールを当てることにより空間の狭さをカバーする。専属のティーチングプロなどが指導に当たることもある。また、ゴルフ専門店等に設置される形態の練習場は限られた空間を利用するために周囲をネットで覆い、打球が外部に飛び出さないような配慮がなされる。実際にボールを打ったときのヘッドスピードや打球の打ち出し角度や方向などを計測することができる練習場もある。また、カメラを設置してスイングをビデオ撮影したり、連続写真として記録したりすることも行われる。
【０００３】
【発明が解決しようとする課題】
ゴルフの練習場において人がゴルフボールを打つと、打たれたボールは必ずしも打った人の思い通りには飛んでくれない。何度も繰り返してボールを打つことにより少しずつよくなってはいくが、あるところまで達するとそれ以上にはなかなかうまくならない。いわゆる壁に突き当たる。ゴルフの教則本を読んだり、ビデオを買ってきてプロのフォームを眺めたり、ティーチングプロや上級者に教わったりするとまた少し上達する。しかしそれにも限界があり、やはりどこかで上達がとまってしまう。
【０００４】
練習場でボールを打ちながらいろいろ考えてみても、人から教わっても、自分のフォームを自分の目で見ることができないので、多くの場合どこを直せばいいのかがよくわからない。もちろん鏡を見れば自分のフォームを見ることはできるが、実際問題としてフォームを矯正するにはクラブを持って素振りをして見なくてはならない。鏡の前でクラブを振り回すだけの空間を有するところはなかなか見つからない。
【０００５】
ゴルフのスイングを正しいものにするには素振りを正しくすればいい。自分の素振りあるいは自分のスイングを正しくするには、まず自分のスイングがどのようになっているかを知らなければならない。そしてつぎに、正しいスイングがどのようなものであるかを知ることが必要である。この二つの条件が満足されて初めて上達の道が開けることになる。
【０００６】
この発明の目的は、簡単な方法で自分のフォームを自分で見ると同時に、上級者のフォームも見ることができるシステムを提供することにより、ゴルフの技能上達を可能にする方法を提供することにある。この発明の前記ならびにそのほかの目的と新規な特徴は、本明細書の記述および添付図面から明らかになるであろう。
【０００７】
【問題を解決するための手段】
本願において開示される発明のうち代表的なものの概要を簡単に説明すれば、下記の通りである。人がゴルフクラブを持って素振りをするのに十分な広さを有する空間を用意し、上記空間の三つの壁面、すなわち上記素振りをする人の正面、右側、左側の各壁面に３枚の鏡を設置し、上記正面の壁面には一台の表示装置を設置し、上記表示装置には模範とすべきゴルフスイングの映像を表示し、鏡に映った自分のフォームと上記表示装置に表示される映像とを見比べながら素振りを行うことを可能にするゴルフ練習システム。
【０００８】
【発明の実施の形態】
図１には、この発明に係るゴルフ練習システムの一実施例が示されている。素振りをする人１が、そのゴルフスイングを正面の鏡２に映している。３は鏡に映った像である。鏡の横には表示装置４が設置されており、そこには予め記録された映像５が表示されている。素振りをする人は鏡に映った自分の姿と表示装置に表示された映像の両者を見ながら自分のフォームを矯正することができる。ゴルフスイングはアドレスから始まって、テークバック、トップ、ダウンスイング、インパクト、フォロースルー、フィニッシュまでの一連の動作から成り立っているが、それぞれの瞬間での体の動きを表示装置のモニタに映る映像と鏡に映った自分の像を比較することができる。また、スイングのタイミングや間の取り方、スイングの速さなどを確認することもできる。さらに仔細に観察すればスイングをスタートさせる前のフォワードプレスやワッグルなどの細かい動きも学ぶことができる。よいスイングをするために必要な正しいグリップも映像を見ながら覚えることができる。
【０００９】
モニタに表示される映像はプロゴルファーやティーチングプロがその模範的スイングを見せてくれる市販のビデオ映像であったり、ホームビデオなどで撮った上級者の映像であったりする。誰かに撮ってもらった自分自身のスイングを映してみるのもいい。本発明に係るゴルフ練習システムに使うことを予め想定して録画編集された映像はとくに有効である。すなわち、表示装置に表示される映像が、鏡に映る自分の姿を見るのと同じになるように、カメラの向きや角度を設定して録画された映像はスイングの比較がしやすく有効である。初心者が陥りがちな間違いを初期の段階で矯正することは、その後の上達の大きな鍵となる。たとえばグリップやテークバックなどは初心者にはどのようなものが正しいのかはなかなかわからないものであるが、このシステム向けに作られたビデオ映像を見ればよく理解できるわけである。
【００１０】
図１は鏡が１枚の例を示しているが、鏡を正面だけではなく素振りをする人の右側および左側にも鏡を設置すればテークバックやフィニッシュの形を見ることができフォームの改善に有効であることはもちろんである。図１に示した表示装置の位置は右側の鏡でテークバックの形を見るときにはやや不便である。したがって、表示装置を追加して２台あるいは３台の表示装置を設置するか、あるいは表示装置を移動可能にしておくのもよい。また、図１に示した表示装置は正面鏡の左側に設置してあるがこれは正面鏡の右側に設置してもよい。設置する場所の高さは素振りをする人の目の高さ辺りが適当であるが、他の場所たとえば床の上であってもかまわない。さらに３台の表示装置を正面、右側、左側に設置し、それぞれの表示装置に正面、右サイド、左サイドから映した映像を表示すればさらにスイングの様子が明確になり、それだけ上達が早まることになる。
【００１１】
本実施例では主として素振りをする人を対象として説明をしているが、場合によっては実際にボールを打つことも可能である。もちろんこの場合、ボールが直接鏡に当たらないような手段を講じる必要がある。透明なビニールシートやネットで鏡を保護して、打ったボールが直接鏡に当たらないようにし、ボールを打つ人にも危険のないように万全の処置を講じなければならない。この場合、ボールを打つことはできるが鏡に映った像や表示装置に映る映像はその分見にくくなるという難点は避けがたい。
【００１２】
図２には、本発明に係わる他の一実施例が示されている。ここでは表示装置に表示される映像もしくは画像は、通常映像もしくは画像を左右反転したものである。一般に、ビデオカメラなどで撮った映像はそれを表示した場合鏡に映った鏡像とは違ってしまう。これは本発明の図１の上記実施例において見られるように左右反対の動きをする。本練習システムの目的のひとつは表示装置に映る映像と鏡に映る鏡像を見比べてその違いを見分けることであるから、映像と鏡像が同じ動きをしたほうが比較しやすい。それを実現するには上記表示装置の映像か鏡像のどちらかを左右反転すればいい。鏡に映る像を反転する方法もないことはないが、どちらかといえば表示装置の映像を左右反転するほうが容易である。表示装置の走査線の走査方向を逆にするなどの手段を講ずればいいからである。そのように表示装置の映像を左右反転して表示した映像６が図２に示されている。
【００１３】
素振りをする人が右利きであるとして、表示装置に表示する映像に左利きのプレイヤーの映像を用いれば映像を左右反転することもなく映像と鏡像を比較することはできる。このような場合は映像を反転することなく使うことになる。したがって、簡単な操作で映像の左右反転を可能にしたり、あるいはもとの通常映像に戻したりするスイッチあるいはリモコンを上記表示装置の近くまたは上記素振りをする人の近くに設けておくことが有効である。左利きの人が練習をする場合には右利きのプレイヤーの映像をそのまま使うことになるが、左利きのプレイヤーの映像を参考にする場合は左右反転映像を眺めることになる。いずれにせよ、通常表示の映像および左右反転の映像を表示できるようにしておくことは有効な手段であることには変わりない。
【００１４】
図３は本発明の別の実施例を示したものである。図からわかるように鏡の上には格子状の直線７が薄く引かれており、表示装置の画面上にも格子状の直線８が引かれている。これらの格子状の直線の効果はいくつもあげることができる。まず、鏡像と表示像の両者を比較するための原点を合わせることができる。たとえば、左足のつま先の位置を表示像に合わせる、などである。つぎに体の全体の位置、すなわちスタンスから始まって手の位置や頭の位置などを比べて見ることができる。さらに、スイング中の体の移動についても直線の助けを借りればはっきりとわかることになる。
【００１５】
これらの直線はその間隔はとくに決まったものである必要はないが、ひとつの目安としては２０ｃｍ程度に設定するのが妥当であろう。１０インチ刻みにするのも一案である。ゴルフクラブの表記単位にはインチを使うからである。一方、表示装置に表示する直線は表示される映像とは独立の直線とするのがよい。表示、非表示の切り替えができるとともに、直線間隔の調整もできることが望ましい。これによって素振りをする人と表示されるプレイヤーの身長の差を吸収することができ、表示するプレイヤーの身長にあわせて直線間隔を調整し、自身の身長に合わせた比較が簡単にできるようになる。
【００１６】
図４は側面の壁に鏡９を配置したときの様子を示したものである。鏡に映った素振りをする人の像１０が示されており、図３と同様に表示装置は左右反転映像１１を表示し、鏡と表示装置には格子状の直線群が表示されている。図３で説明したのと同様に表示装置に表示される映像の直線間隔を素振りする人の身長に合わせて調整し、スイングの比較をする。アドレスにおける前かがみの姿勢や両手の位置、とくに上記両手の位置の垂直線からの乖離がどの程度あるかなどの微妙な照合を行うことができる。また頭の位置も重要なポイントである。ここでは示していないが、パッティングにおいては目線の真下にボールを置くようにという指導が行われることが多い。このとき、本図のような側面の鏡とそこに表示された直線が極めて有効な手段を提供することになる。図４においては左側に設置した鏡の例を示したが、素振りをする人の右側にも鏡を設置すると３枚の鏡によってアドレス、テークバック、そしてフィニッシュまですべての像が確認できる。このとき両脇に配置した二枚の鏡は多重反射を避けるために少し斜めに配置しておくのがよい。つまり二枚の鏡は平行に配置されるのではなく、上から見たときに「ハ」の字型に近い配置にしておく。なお、右側、左側に設置した鏡はできれば表面を保護しておくことが望ましい。万が一、クラブが手を離れて鏡にぶつかるようなことがあっても事故には至らない。左右両側の鏡を保護するのは、右利きの人と左利きの人に対応するためである。
【００１７】
上記の実施例においては壁面に設置した鏡は大きな一枚ガラスであったが、これは必ずしも一枚ガラスである必要はない。複数個の鏡を並べてスイング全体が表示できるようにしておくことも可能である。この場合鏡の上に格子状の直線を引く必要は必ずしもなくなり、設置した鏡の境界が格子状の直線の代わりとして使える。
【００１８】
上記の実施例において表示装置はブラウン管（ＣＲＴ）や液晶表示装置やプラズマディスプレイなどを想定しているが、これらに限定される必要がないことはもちろんである。たとえば投射型のディスプレイであっても一向に構わない。すなわちこの場合、上記表示装置は投射型ディスプレイのプロジェクターとスクリーンに対応する。上記素振りをする空間内に設けられたスクリーンに投射してスイングを投影する。あるいは上記素振りをする人のスイングを映す鏡の上に映像を重ねて投影するのも場合によっては有効である。等身大のスイングの比較が直接できるという大きな効果が得られる。
【００１９】
ゴルフスイングを決める要因のひとつにスタンスがある。両足の間隔をどの程度にするかあるいはつま先をどれくらい広げるか、オープンにするかクローズドにするかなどである。基本的にはこのスタンスも鏡に映った足の像と表示装置に表示された映像とを照らし合わせることで確認することができる。これをさらに進めるために足場のところにスタンスの取り方を示す足型を示しておくことも有効な手段である。平均的な身長を仮定して足場の幅や両足の開き具合などを書き込んでおく。ドライバーとアイアンでは違ってくるから、いくつかの場合について足形を記しておくと参考になる。
【００２０】
本システムは従来技術の項で述べたような営業用のシステムを想定していることはもちろんであるが、実施形態はそれにとどまるものではない。本発明にかかるシステムは個人用にも実施可能なシステムである。すなわち、個人の住宅の中の一室や庭などに本システムを設置してゴルフ技能の向上を図ることが可能である。また、会社や学校のクラブ活動活性化の一環として本システムを設置するなど多彩な利用形態がありうる。したがって、本発明にかかるシステム自体ならびにその設計施工を請け負う業務形態も本発明の趣旨に含まれることは言うまでもない。
【００２１】
これまでの実施例では表示装置に表示する映像はＶＴＲやＤＶＤなどの再生映像を暗黙裡に想定していたが、映像は必ずしもこれらに限ったわけではない。インターネットや有線ＬＡＮ、無線ＬＡＮなどのネットワークを通じて送られる映像であってもいいことはもちろんである。この場合ネットワークの対極には担当の係りの人やティーチングプロなどがいて、記録映像をネットワークを通じて送ってくれたり、スイングを実際に実時間で見せてくれたりする。実時間形式の場合には対話形式の指導が可能になり、より具体的な指導ができる。さらに、練習システム内にビデオカメラを設置して撮影した映像を先方に送ることによって上記の指導をさらに高めることも可能である。また、映像配信を複数の練習箇所に対して行えば、複数の受講者による同時学習といったシステムの構築も可能である。
【００２２】
上記のようなネットワークシステムを構築すれば、個人が利用するにせよ、学校や法人が利用するにせよ、インターネットなどを介して受講者に対して映像を送付する業務形態が可能となる。このような事業も本発明の趣旨に含まれるものである。
【００２３】
【発明の効果】
本願において開示される発明のうち代表的なものによって得られる効果を簡単に説明すれば、下記の通りである。本システムはゴルフクラブを素振りするのに十分な広さを持つ空間と、上記空間内あるいは上記空間の壁面あるいは仕切りに設けられた一枚以上の鏡と、上記空間内あるいは上記空間の壁面あるいは仕切りに設置された一台以上の表示装置からなり、上記鏡に映った自分自身の像と上記表示装置に表示されるスイング像とを見比べることによりゴルフスイングの大幅な改良を図ることができる。
【００２４】
上記効果をさらに高めるために、上記表示装置に表示する映像もしくは画像は通常の映像もしくは画像を左右反転したものを用いると、上記素振りをする人の像と表示装置に表示される映像との比較が容易にできるためにスイングの改善を図ることが容易になる。さらに上記鏡と上記表示装置には格子状の直線が引かれ、これにより上記鏡に映る像と表示装置に映る像との比較照合を容易にし、スイングの改良を図ることができる。
【００２５】
また、表示装置をネットワークに接続することにより、多彩なコンテンツの利用が可能になり、実時間指導や複数受講者の同時学習などのシステム構築が可能になる、といった効果がある。
【図面の簡単な説明】
【図１】本発明に係るゴルフ練習システムの一実施例を示す外観図である。
【図２】本発明に係るゴルフ練習システムの他の一実施例を示す外観図である。
【図３】本発明に係るゴルフ練習システムの他の一実施例を示す外観図である。
【図４】本発明に係るゴルフ練習システムの他の一実施例を示す外観図である。
【符号の説明】
１…素振りをする人、２…鏡、３…鏡に映った素振りをする人の像、４…表示装置、５…表示装置に表示されたゴルフスイング像、６…表示装置に表示された左右反転ゴルフスイング像、７…鏡の上に格子状に引かれた直線群、８…表示装置上に表示された格子状直線群、９…素振りをする人の左側に配置された鏡、  １０…鏡に映った素振りをする人の左サイドの像、  １１…表示装置に表示された左サイド映像の左右反転像。
【図１】
2004358023.tif 000003
【図２】
2004358023.tif 000004
【図３】
2004358023.tif 000005
【図４】
2004358023.tif 000006